【手続補正書】
【提出日】平成19年3月23日(2007.3.23)
【手続補正１】
【補正対象書類名】特許請求の範囲
【補正対象項目名】全文
【補正方法】変更
【補正の内容】
【特許請求の範囲】
【請求項１】
中間ポリアミドポリマーの合成方法であって、
（ａ）二塩基性酸またはエステルと過剰量のアミンを混合し、ここで、二酸／エステル：アミンモル比は約１：１．１２５〜約１：１．１７５であり、これによって重合混合物を形成すること；および
（ｂ）工程（ａ）からの重合混合物を重合して完了させること
を含む方法。
【請求項２】
中間ポリマーの分子量が約１６００〜約２１００ダルトンである、請求項１に記載の方法。
【請求項３】
請求項１に記載の方法により製造される中間ポリマー反応生成物。
【請求項４】
【化１】
2006522208.tif 000001
（式中、ａは２〜８、ｂは２〜６、およびｃは２〜６である）
の線状式を有する中間ポリマー。
【請求項５】
分枝状
【化２】
2006522208.tif 000002
（式中、ａは２〜８、ｂは２〜６、およびｃは２〜６である）
の分枝状式を有する中間ポリマー。
【請求項６】
高固形分ポリアミド樹脂の製造方法であって、
（ａ）二塩基性酸またはエステルと過剰量のアミンを混合し、ここで、二塩基性酸／エステル：アミンモル比は約１：１．１２５〜約１：１．１７５であり、これによって重合混合物を形成すること；
（ｂ）工程（ａ）からの重合混合物を重合して完了させること；
（ｃ）重合混合物をエピハロヒドリンと反応させること；および
（ｄ）反応を進めて、中間ポリマー反応混合物を架橋すること
を含む方法。
【請求項７】
高固形分樹脂の固形分が約３０〜５０重量％である、請求項６に記載の方法。
【請求項８】
線状
【化３】
2006522208.tif 000003
（式中、ａは２〜８、ｂは２〜６、およびｃは２〜６である）
の線状式を有する高固形分ポリアミド樹脂。
【請求項９】
分枝状
【化４】
2006522208.tif 000004
（式中、ａは２〜８、ｂは２〜６、およびｃは２〜６である）
の分枝状式を有する高固形分ポリアミド樹脂。
【手続補正２】
【補正対象書類名】明細書
【補正対象項目名】００５０
【補正方法】変更
【補正の内容】
【００５０】
【表３】
2006522208.tif 000005
[本発明の態様]
１．中間ポリアミドポリマーの合成方法であって、
（ａ）二塩基性酸またはエステルと過剰量のアミンを混合し、ここで、二酸／エステル：アミンモル比は約１：１．１２５〜約１：１．１７５であり、これによって重合混合物を形成すること；および
（ｂ）工程（ａ）からの重合混合物を重合して完了させること
を含む方法。
２．二塩基性エステルが、アジピン酸ジメチル、セバシン酸ジメチル、イタコン酸ジメチル、アゼライン酸ジメチル、シュウ酸ジメチル、グルタル酸ジメチルおよびそれらの混合物の少なくとも１種を含む、１に記載の方法。
３．二塩基性酸が、アジピン酸、グルタル酸、シュウ酸、コハク酸、アゼライン酸、セバシン酸、マレイン酸、フマル酸、イタコン酸およびそれらの混合物の少なくとも１種を含む、１に記載の方法。
４．アミンが、ジエチレントリアミン（ＤＥＴＡ）またはその類似体、Ｎ−（３−アミノプロピル）−１，３−プロパンジアミン（ジプロピレントリアミンすなわちＤＰＴＡ）、エチレンジアミン（ＥＤＡ）、１，６−ヘキサメチレンジアミン（ＨＭＤＡ）、トリエチレンテトラアミン（ＴＥＴＡ）、テトラエチレンペンタアミン（ＴＥＰＡ）、Ｎ−メチル−ビス（アミノプロピル）アミン（ＭＢＡＰＡ）、ビス（ヘキサメチレントリアミン）（ＢＨＭＴ）、トリプロピレンテトラアミン、テトラプロピレンペンタアミン、スペルミン、スペルミジン、１−フェニル−２，４−ペンタンジアミン、２−フェニル−１，３−プロパンジアミン、２−メチル−１，５−ペンタンジアミン、およびフェニレンジアミン、並びにそれらの組み合わせの少なくとも１種を含む、１に記載の方法。
５．アミンが、ジエチレントリアミン（ＤＥＴＡ）、トリエチレンテトラアミン（ＴＥＴＡ）、テトラエチレンペンタアミン（ＴＥＰＡ）およびそれらの組み合わせの少なくとも１種を含む、４に記載の方法。
６．アミンがジエチレントリアミン（ＤＥＴＡ）である、５に記載の方法。
７．中間ポリマーの分子量が約１６００〜約２１００ダルトンである、１に記載の方法。
８．中間ポリマーが水溶性線状縮合ポリマーである、１に記載の方法。
９．中間ポリマーが水溶性分枝状縮合ポリマーである、１に記載の方法。
１０．１に記載の方法により製造される中間ポリマー反応生成物。
１１．
【化８】
2006522208.tif 000006
（式中、ａは２〜８、ｂは２〜６、およびｃは２〜６である）
の線状式を有する中間ポリマー。
１２．分枝状
【化９】
2006522208.tif 000007
（式中、ａは２〜８、ｂは２〜６、およびｃは２〜６である）
の分枝状式を有する中間ポリマー。
１３．高固形分ポリアミド樹脂の製造方法であって、
（ａ）二塩基性酸またはエステルと過剰量のアミンを混合し、ここで、二塩基性酸／エステル：アミンモル比は約１：１．１２５〜約１：１．１７５であり、これによって重合混合物を形成すること；
（ｂ）工程（ａ）からの重合混合物を重合して完了させること；
（ｃ）重合混合物をエピハロヒドリンと反応させること；および
（ｄ）反応を進めて、中間ポリマー反応混合物を架橋すること
を含む方法。
１４．ジエステルが、アジピン酸ジメチル、セバシン酸ジメチル、イタコン酸ジメチル、アゼライン酸ジメチル、シュウ酸ジメチル、グルタル酸ジメチルおよびそれらの混合物の少なくとも１種を含む、１３に記載の方法。
１５．二塩基性酸が、アジピン酸、グルタル酸、シュウ酸、コハク酸、アゼライン酸、セバシン酸、マレイン酸、フマル酸、イタコン酸およびそれらの混合物の少なくとも１種を含む、１３に記載の方法。
１６．アミンが、ジエチレントリアミン（ＤＥＴＡ）またはその類似体、Ｎ−（３−アミノプロピル）−１，３−プロパンジアミン（ジプロピレントリアミンすなわちＤＰＴＡ）、エチレンジアミン（ＥＤＡ）、１，６−ヘキサメチレンジアミン（ＨＭＤＡ）、トリエチレンテトラアミン（ＴＥＴＡ）、テトラエチレンペンタアミン（ＴＥＰＡ）、Ｎ−メチル−ビス（アミノプロピル）アミン（ＭＢＡＰＡ）、ビス（ヘキサメチレントリアミン）（ＢＨＭＴ）、トリプロピレンテトラアミン、テトラプロピレンペンタアミン、スペルミン、スペルミジン、１−フェニル−２，４−ペンタンジアミン、２−フェニル−１，３−プロパンジアミン、２−メチル−１，５−ペンタンジアミン、およびフェニレンジアミン、並びにそれらの組み合わせの少なくとも１種を含む、１３に記載の方法。
１７．アミンが、ジエチレントリアミン（ＤＥＴＡ）、トリエチレンテトラアミン（ＴＥＴＡ）、テトラエチレンペンタアミン（ＴＥＰＡ）およびそれらの組み合わせの少なくとも１種を含む、１６に記載の方法。
１８．アミンがジエチレントリアミン（ＤＥＴＡ）である、１７に記載の方法。
１９．エピハロヒドリンがエピクロロヒドリンである、１３に記載の方法。
２０．高固形分樹脂の固形分が約３０〜５０重量％である、１３に記載の方法。
２１．高固形分樹脂の固形分が約３０〜４５重量％である、２０に記載の方法。
２２．高固形分樹脂の固形分が約３９〜４１重量％である、２１に記載の方法。
２３．工程ｂ）の中間ポリマーがそれ自体と架橋される、１３に記載の方法。
２４．工程ｂ）の中間ポリマーが別の物質と架橋される、１３に記載の方法。
２５．１３に記載の方法により製造される高固形分ポリアミド樹脂。
２６．線状
【化１０】
2006522208.tif 000008
（式中、ａは２〜８、ｂは２〜６、およびｃは２〜６である）
の線状式を有する高固形分ポリアミド樹脂。
２７．分枝状
【化１１】
2006522208.tif 000009
（式中、ａは２〜８、ｂは２〜６、およびｃは２〜６である）
の分枝状式を有する高固形分ポリアミド樹脂。
２８．１３に記載の方法により製造される湿潤強度増強剤。
２９．１３に記載の方法により製造されるクレーピング助剤。
３０．２６に記載の樹脂を含むセルロース製品。
３１．２７に記載の樹脂を含むセルロース製品。